(57)【要約】    【課題】  連続印刷シートの位置合わせを行うことなく正確に、シートの所定位置にデータの出力を開始位置に合わせて出力することができることを課題とする。    【解決手段】  移動する連続印刷シートＰの所定位置に、順次、データを出力するための連続印刷シートＰのページ区切検知装置において、撮像素子を配列してなる、連続印刷シートＰのページ区切りを検知する検知手段７０と、検知手段７０から出力された情報から同期信号を発生する同期信号発生手段８０と、同期信号から適切なタイミングで連続シートの所定位置にデータの出力を開始する出力制御処理手段９０とを有し、連続印刷シートＰのページ区切は、該連続印刷シートＰのミシン目を基準としたことを特徴とする。    【選択図】  図２
2006035527.tif 000002
【特許請求の範囲】
【請求項１】
移動する連続印刷シートの所定位置に、順次、データを出力するための連続印刷シートのページ区切検知装置において、
撮像素子を配列してなる、前記連続印刷シートのページ区切りを検知する検知手段と、
前記検知手段から出力された情報から同期信号を発生する同期信号発生手段と、
前記同期信号から適切なタイミングで前記連続シートの所定位置にデータの出力を開始する出力制御処理手段とを有し、
前記連続印刷シートのページ区切は、該連続印刷シートのミシン目を基準としたことを特徴とする連続印刷シートのページ区切検知装置。
【請求項２】
前記検知手段によるミシン目の検知は、前記検知手段からの情報を二値化する二値化処理手段を含むことを特徴とする請求項1記載の連続印刷シートのページ区切り検知装置。
【発明の詳細な説明】
【技術分野】
【０００１】
本発明は、一方向に搬送したロール状のシート（長尺を含む）の任意位置に、印字データを正確に合わせることができる連続印刷シートのページ区切検知装置に関するのである。
【背景技術】
【０００２】
一方向に搬送するロール状のシート（以下、単に「シート」と呼ぶ）として、ページの区切りにミシン目のあるものがある。シート上に印字データを出力する場合、ミシン目の（次ページ）をまたがって印字データが出力されたり、ミシン目に印字データが出力することがあった。
【０００３】
このため、シートの任意位置に印字データを印字するために、特許文献１のような構成が開示されている。この構成は、図１および図２に示すように、スプロケットホール検出機構２と用紙厚検出機構３とを設けて、連続用紙１４の一頁当りの用紙長を検出し、指定位置に自動的にミシン目をセットするものである。
【０００４】
また、特許文献２には、第１図および第２図に示すように、ミシン目２の検出を連続プリンタ用紙１の両側で行う一対のミシン目検出手段（１１、１２）と、連続プリンタ用紙１の紙送りを行わせるプラテン駆動手段４とからなり、双方の検出手段（１１、１２）がミシン目２を検出した時に、プラテン駆動手段４を停止して、連続プリンタ用紙１の先頭印字位置をセットするものである。
【特許文献１】特開平５−２６１９８４号公報
【特許文献２】特開平４−６２１７０号公報
【発明の開示】
【発明が解決しようとする課題】
【０００５】
しかし、特許文献１は、連続用紙１４に設けられたスプロケットホール１２をスプロケット検出機構２でカウントするものであり、スプロケットホール１２の形状が不揃いである場合、スプロケットホール１２のカウントが誤検出しやすくなり、シートの任意位置に正確な印字データを印字することが難しいものであった。
【０００６】
さらに、特許文献２は、双方の検出手段（１１、１２）がミシン目を検出した時に、プラテン駆動手段４を停止させる構成であるため、シート上に連続して印字データを出力する特徴のあるものについては、適用できない。
【課題を解決するための手段】
【０００７】
上記問題を解決するために、本発明は、請求項１おいては、移動する連続印刷シートの所定位置に、順次、データを出力するための連続印刷シートのページ区切検知装置において、撮像素子を配列してなる、連続印刷シートのページ区切りを検知する検知手段と、検知手段から出力された情報から同期信号を発生する同期信号発生手段と、同期信号から適切なタイミングで連続印刷シートの所定位置にデータの出力を開始する出力制御処理手段とを有し、連続印刷シートのページ区切は、該連続印刷シートのミシン目を基準としたことを特徴とする。
【０００８】
請求項２においては、検知手段によるミシン目の検知は、検知手段からの情報を二値化する二値化処理手段を含むことを特徴とする。
【発明の効果】
【０００９】
上記構成により、本発明によれば、連続印刷シートの位置合わせを行うことなく正確に、シートの所定位置にデータの出力を開始位置に合わせて出力することができる。
【発明を実施するための最良の形態】
【００１０】
以下、本発明の形態を、図面を参照して説明する。図１は本発明の連続印刷シートのページ区切検知装置を組み込んだ画像形成装置の概略図の一例を示す図である。なお、この実施の態様では、電子写真方式を利用したもので説明するが、この方式に限定するものではない。
【００１１】
画像形成装置１０は、例えば感光ドラムあるいは感光ベルト等からなる像担持体２０を中心に、像担持体２０の表面を特性極性に一様に帯電する帯電部３０と、外部から入力されたデータに従って像担持体２０上に静電潜像を形成するＬＥＤ等からなる露光部４０と、この静電潜像を現像して像担持体２０上に現像剤像を形成する現像部５０と、連続印刷シートＰの所定のページに、順次、像担持体２０上に現像された現像剤像を連続印刷シートＰに転写する転写部６０と、転写後に残留した現像剤を除去するブレード等のクリーニング部(図示せず)と、像担持体２０の表面を除電する除電部(図示せず)を有するものである。
【００１２】
なお、連続印刷シートＰの移動スピードと像担持体２０の回転速度は等しく設定されている。また、外部から入力されるデータの手段としては、例えば、スキャナ等の読取装置であり、この装置で読み込まれた入力データを適当な画像処理して、露光部４０に出力できるデータに加工する。（以下、このデータを、単に「データ」と呼ぶ）なお、このデータは、イメージデータ、文字データ、これらを混ぜたものであっても良い。さらに、転写部６０は、ローラまたはベルトであっても良い。
【００１３】
図２に連続印刷シートのページ区切検知装置の概略を示す。この装置は、検知手段７０と同期信号発生手段８０と出力制御手段９０とを有する。検知手段７０は、連続印刷シートＰのページ区切を検知するためのものであり、ページの区切りの検知はミシン目Ｍを基準としている。なお、この実施の形態において連続印刷シートＰのページ区切りは、ミシン目Ｍとしているが、これに限定されず、図示しないスプロケットとミシン目Ｍとを組み合わせたものであってもよい。
【００１４】
この検知手段７０は、撮像素子、すなわち画像を読み取る画像読取りセンサ（イメージセンサ）であり、ＣＣＤやＣＩＳ等の光電変換素子アレイから構成されている。また、図３において、検知手段７０は、連続印刷シートＰ全域にわたって、連続印刷シートＰの搬送方向に対し垂直に配置されているが、連続印刷シートＰの配置が中央揃いとする場合には、連続印刷シートＰの片側（使用可能な最大幅の連続印刷シートＰと最小幅の連続印刷シートＰまでのものが検知できる長さを有することを前提）に検知手段７０を配置してもよい。
【００１５】
さらに、検知手段７０は、像担持体２０上に形成された現像剤像を連続印刷シートＰに転写する位置Lを基準とした時、露光部４０で外部から入力されたデータを像担持体２０に書き始める距離と略同じ長さＬ１かもしくは長くなる長さＬ２に配置されている。
【００１６】
これは、検知手段７０の配置位置がＬ２である場合、連続印刷シートＰのミシン目ＭがＬ１まで到達する間に、連続印刷シートＰの移動方向（副走査方向）のデータの書き出し開始位置を調整することができる。
【００１７】
先に述べた検知手段７０の配置により、連続印刷シートＰの幅が異なるものであっても、異なる幅毎に検知手段７０を設ける必要がなくなるため、装置本体の製造コストを下げたり、各幅の検知手段７０を配置するための取り付けや調整をなくしたりすることができ、装置に汎用性を持たせることができる。
【００１８】
同期信号発生手段８０は、検知手段７０から出力された情報から同期信号を発生するものである。出力制御処理手段９０は、同期信号から適切なタイミングで連続印刷シートＰの所定位置にデータの出力を開始するものである。
【００１９】
出力制御処理手段９０は、連続印刷シートＰが、一方向に向かって像担持体２０側に移動し、検知手段７０によってミシン目Ｍが検知されてから距離だけ進んだときに、像担持体２０に光を照射するように制御が行われる。具体的に、連続印刷シートＰが進む時間をタイマでカウントし、その時間が経過すると、露光部４０から光を像担持体２０に照射する。
【００２０】
次に、図２および３に、ページ区切検知装置の動作について説明する。なお、この説明において、検知手段７０は、連続印刷シートＰ全域にわたって、連続印刷シートＰの搬送方向に対し垂直に配置されているものとする。なお、ミシン目Ｍ間の斜線は、画像形成装置１０から出力されたデータである。
【００２１】
先ず、図示しない給紙部から連続印刷シートＰが繰り出され、連続印刷シートＰのページの境目となるミシン目Ｍが検知手段７０を通過すると、検知手段７０は、ミシン目Ｍを検知する。
【００２２】
ミシン目Ｍを検知した検知手段７０は、図３（ａ）に示すようなアナログ検知信号（画像信号）を出力する。出力されたアナログ検知信号（画像信号）は、二値化処理手段１１０により、連続印刷シートＰの表面の地肌が検知される部分を「１」、連続印刷シートＰの表面の地肌が検知されない部分を「０」として二値処理する。
【００２３】
検知手段７０から出力されたアナログ検知信号（画像信号）いわゆる情報が、図３（ｂ）に示すように「０」と「１」が連続した場合（ミシン目Ｍとして認識した場合）、同期信号発生手段８０は同期信号（パルス信号）を発信する。
【００２４】
この同期信号は、先に述べたようにミシン目Ｍとして認識した場合、図３（ｃ）に示すように、「０」となるパルス信号を送る。なお、図３（ｃ）に示す時間軸は、連続印刷シートＰが移動する時間である。
【００２５】
同期信号が「０」となると、出力制御処理手段９０は、適切なタイミングで連続印刷シートＰの所定位置に、データの出力を開始する。なお、この実施の形態において、データの出力を開始は、露光部４０から像担持体２０に光の照射をすることである。
【００２６】
以上のように、連続印刷シートＰの位置合わせを行うことなく正確に、シートの所定位置にデータの出力を開始位置に合わせて出力することができる。
【図面の簡単な説明】
【００２７】
【図１】本発明の連続印刷シートのページ区切検知装置を適用した画像形成装置の概略図。
【図２】ページ区切り処理の概略図。
【図３】図２の各処理の詳細を示す図。
【符号の説明】
【００２８】
７０  検知手段
８０  同期信号発生手段
９０  出力制御処理手段
Ｍ  ミシン目
Ｐ  連続印刷シート
【図１】
2006035527.tif 000003
【図２】
2006035527.tif 000004
【図３】
2006035527.tif 000005